(57)【要約】【課題】室内からの排気と、室内機で発生したドレン水とを共用ダクトで屋外に排出し、換気効率を良好にし得る空気調和機を提供する。【解決手段】共用ダクト２３から屋外側の出たところで、排気とドレン水の排水とを分岐させる分配ボックス２４を設け、ドレン側はドレンホース３６などで排水に適した位置まで伸ばして排水し、また、排気は屋外に出たところで出口２６を形成し、ドレンホースの長さに関係なく排気できるので、換気効率の良い空気放出が可能となる。【選択図】　図２
2004028468.tif 000002
【特許請求の範囲】
【請求項１】
室内熱交換器で発生するドレン水と、室内を換気する排出空気とを共用ダクトにより排気・排水する空気調和機において、
前記共用ダクトの屋外側に、前記ドレン水と排気とを分離する分離装置が設けられたことを特徴とする空気調和機。
【請求項２】
室内熱交換器で発生するドレン水と、室内を換気する排出空気とを共用ダクトにより排気・排水する空気調和機において、
前記共用ダクトの屋外側に、前記ドレン水と排気とを分離させて夫々の出口から排出する分配ボックスを有する分離装置が設けられたことを特徴とする空気調和機。
【請求項３】
室内熱交換器で発生するドレン水と、室内を換気する排出空気とを、室内壁に形成された貫通穴を通す共用ダクトにより排気・排水する空気調和機において、
前記共用ダクトの屋外側にドレン水と排気とを分離する分離装置が設けられ、該分離装置は、前記ドレン水と排気とを分離させて夫々の出口から排出する分配ボックスが設けられ、該分配ボックスが、前記貫通穴の屋外側出口近傍に配置されてなることを特徴とする空気調和機。
【請求項４】
前記分配ボックスの排気出口及びドレン水出口に、夫々逆流防止用のダンパーが設けられたことを特徴とする請求項２又は３に記載の空気調和機。
【請求項５】
前記分配ボックスの内部に排気を排気出口側に向かうように案内する空気案内板が設けられた請求項２〜４のいずれかに記載の空気調和機。
【請求項６】
前記空気案内板の下流側にドレン水をドレン水出口側に分配する開口が形成されたことを特徴とする請求項５に記載の空気調和機。
【請求項７】
前記分配ボックスのドレン水出口側のダンパーが離着座するダンパー口の上流側に、ドレン水を一時的に貯めるドレン水受けが形設され、該ドレン水受けの底部が、前記ダンパー口より下方に設置されたことを特徴とする請求項４に記載の空気調和機。
【発明の詳細な説明】
【０００１】
【発明の属する技術分野】
本発明は、室内熱交換器で発生するドレン水と、室内を換気する排出空気とを排気・排水する機能を備えた空気調和機に関するものである。
【０００２】
【従来の技術】
この種の従来技術として、実公平７−３７０７２号公報記載の空気調和機が知られている。この空気調和機は、ドレンパンの一側端面に隣接して排気ダクトが形成され、この排気ダクトの一側面に開口が形成されている。室内空気を吸込んで室内に循環する室内送風ファンによる風の流れの一部を、排気ダクトの開口部に導き、この開口部に導いた風を排気ダクトを通して室外へ排出させるようにしている。また、ドレンパンと排気ダクトの隣接部分に穴が開いており、ドレン水は、この穴から排気ダクトを通り、室外へ排出される構造となっている。
【０００３】
また、特開平７−１６７４８３号公報や実用新案登録番号３０６５８４１号公報には、ドレン水が室内に逆流するのを防止するための手段を設けたことが記載されている。
【０００４】
【発明が解決しようとする課題】
ところで、上記の空気調和機は、室内の空気を室外に放出する排気と、室内機で発生したドレン水とを一本のパイプで室内壁を貫通させて屋外に排出しているが、換気効率を良好にするためには排気流路をできるだけ短く設定する必要がある一方、ドレン水はできるだけ下方に導いて屋外に排水するのが望ましい。
【０００５】
しかしながら、上記従来の空気調和機においては、排気とドレン水とを分離する技術は開示されておらず、両者を貫通穴の近傍で分離できる構造の空気調和機の出現が望まれていた。また、共用ダクトの一部は屋外側に配置されているため、屋外での強風時に共用ダクトを通って室内機側に逆風圧が発生する可能性があり、これを防止する手段の出現も望まれている。
【０００６】
本発明は、上記課題に鑑み、室内からの排気と、室内機で発生したドレン水とを共用ダクトで屋外に排出し、換気効率を良好にし得る空気調和機の提供を目的としている。
【０００７】
【課題を解決するための手段】
上記目的を達成するため、本発明は、共用ダクトから屋外側に排気と排水とを分離させる装置を設け、ドレン側は排水に適した位置まで伸ばして排水し、また、排気は屋外に出たところで出口を形成し、ドレンホースの長さに関係なく排気できるようにし、換気効率の良い空気放出を可能にしたものである。
【０００８】
すなわち、本発明は、室内熱交換器で発生するドレン水と、室内を換気する排出空気とを共用ダクトにより排気・排水する空気調和機において、前記共用ダクトの屋外側に、前記ドレン水と排気とを分離する分離装置が設けられたことを特徴としている。
【０００９】
上記構成によると、共用ダクトの屋外側にドレン水と排気とを分離装置を設けたので、ドレン水排出用のドレンホースの長さに関係なく、排気することができ、排気経路の長さを適宜設定して排気効率を良好にすることができる。
【００１０】
また、本発明においては、共用ダクトの屋外側に、前記ドレン水と排気とを分離させて夫々の出口から排出する分配ボックスを有する分離装置が設けられたことを特徴としている。この構成によると、分配ボックスにより、排気の出口とドレン水の出口を分離でき、ドレン水排出用のドレンホースの長さに関係なく、排気することができる。
【００１１】
さらに、本発明においては、分配ボックスを室内壁の貫通穴の屋外側出口近傍に配置することができる。この構成によると、排気経路を短く設定できるので、排気効率を良好にし得る。
【００１２】
また、上記構成に付加して、分配ボックスの排気出口及びドレン水出口に、夫々逆流防止用のダンパーを設けることができる。この構成によると、分配ボックスの排気出口やドレン水出口に屋外から逆風圧が加わっても、それぞれのダンパーによりダンパー口が閉塞されるので、共用ダクトから室内へ逆流することはなく、ドレン水の逆流が防止できる。
【００１３】
さらに、分配ボックスの内部に排気を排気出口側に向かうように案内する空気案内板を設けると、排気がスムーズに行われる。さらに、案内板の下流側にドレン水をドレン水出口側に分配する開口を形成すると、排気と共に流入したドレン水を案内板に沿ってドレン水出口側にスムーズに導くことができる。
【００１４】
また、前記分配ボックスのドレン水出口側のダンパーが離着座するダンパー口の上流側にドレン水を一時的に貯めるドレン水受けが設けられ、該ドレン水受けの底部が、前記ダンパー口より下方に設置された構成にすると、ダンパーをドレン水受けに溜まったドレン水の水圧により開口することができ、ドレン水の排出も良好に行える。
【００１５】
【発明の実施形態】
以下、本発明に係る空気調和機の実施形態について図面を参照して説明する。図１は本発明の実施形態である空気調和機の室内機において、前面パネルを取り外して主要部品を示す分解斜視図である。図１において、１は室内機、２は背面パネル、３は室内熱交換器、４は室内ファン、５は前面パネルや背面パネルに形成される吸込口、６は室内機１の下面に形成される吹出口、７はドレンパン、８は換気用排気ファン、９は合流ボックスである。
【００１６】
室内機１は、図示しない前面パネルと背面パネルとからユニットケースが構成され、室内の壁面に取付板（図示略）により取り付けられる。このユニットケース内には、室内空気を前面パネルや背面パネル上面の吸込口５から吸い込み、かつ吹出口６から吹き出すための室内ファン４と、室内空気と室外ユニット（図示略）から供給された冷媒との間で熱交換を行う室内熱交換器３と、室内熱交換器３に発生するドレン水を受け止めるドレンパン７とを備えている。
【００１７】
室内ファン４はクロスフローファンであり、室内熱交換器３の背面側に配置され、吸込口５から吸込んだ空気を室内熱交換器３を流れる冷媒との間で熱交換し、その空気をユニット下方の吹出口６から吹出すようにしている。
【００１８】
冷房運転時や除湿運転時に室内熱交換器３で発生するドレン水を受け止めるドレンパン７は、室内熱交換器３の下方に室内ファン４の回転軸の軸方向に長く形成され、その一側に配置された後述する排気路１０の合流ボックス９に連通接続されている。
【００１９】
図２は図１の室内ファンの一側の排気路に設けられた気液排出装置を背面側からみた斜視図、図３は合流ボックスのカバーを取り外した状態を示す斜視図である。図において、９は合流ボックス、１０は排気路、１１は換気用排気ファンを覆うファンケース、１２は合流ボックス本体、１３は合流ボックスカバー、１４はカバー１３に設置された回転体駆動源であるモータ、１５はボックス本体に形成されたドレンパン側の貯水部、１６はボックス本体１２の回転体収容部、１７はボックス本体の排気路側にある排気部、１８は排気部の排気入口、１９は貯水部のドレン水入口、２０は排気部の出口、２１は貯水部からドレン水を排気部側に運搬する回転体である。
【００２０】
図２及び図３に示すように、室内ファン４の回転軸の軸方向一側には、室内機１の前面側から吸込んだ、汚れた室内空気等の気体とドレン水等の液体を共通の通路を介して排出する気液排出装置が設けられている。この気液排出装置は、室内ファン４の回転軸の軸方向一側に、室内機１の前面側から吸込んだ、汚れた室内空気を室外へ排出するための排気路１０が設けられている。この排気路１０には、室内空気を室内機前面側から背面側に導く換気用排気ファン８と、ドレンパン７からのドレン水を排気路１０に合流させる機能を有する合流ボックス９と、合流ボックス９の出口２０側は接続され、室内壁に形成された貫通穴２２を貫通して室外に連通する共用ダクト２３とが設けられている。そして、前記共用ダクト２３の屋外側にドレン水と排気とを分離させる分離装置として分配ボックス２４が設けられている。
【００２１】
換気用排気ファン８は、図２に示すように、円筒状のファンケース１１に覆われて合流ボックス９の上方に配置され、室内機１の前面から吸込んだ空気を合流ボックス９の前面入口から換気用排気ファン８により排気部１７に導き、排気部１４からボックス出口２０に排出するものである。
【００２２】
合流ボックス９は、図３に示すように、合流ボックス本体１２と、その上面を覆う合流ボックスカバー１３と、合流ボックスカバー１３に設置された回転体駆動源としての駆動モータ１４とを備えている。合流ボックス本体１２は、換気用排気ファン８で吸込んだ室内空気を円筒状の排気入口１８から出口２０に導く排気部１７と、ドレンパン７からのドレン水を貯水する貯水部１５と、ドレン水を貯水部１５から排気部１７に運搬する回転体収容部１６とを備えている。
【００２３】
回転体収容部１６は、貯水部１５と排気部１７との間に配置された有底円筒状のものであって、その貯水部１５との接続部に連通口１６ａが形成されると共に排気部１７との接続部に開口部１６ｂが形成されている。排気部１７は、直方箱型形状に形成され、その前面側に円筒状の排気入口１８が開口形成され、背面側に円筒状の出口２０が開口形成されている。
【００２４】
回転体収容部１６には、ドレン水を貯水部１５側から排気部１７側に運搬する回転体２１が回転自在に収容されている。この回転体２１は、略円柱状に形成され、その周面に外側に欠穴２１ｂされた断面Ｃ字形の複数の搬送部２１ａが等間隔に凹設され、この搬送部２１ａがドレン水を一時的に貯留しつつ搬送する機能を有している。搬送部２１ａは、ドレン水の排出量と回転体２１の回転数とにより貯水容量と数が決定される。また、回転体２１は、肉盗みが施されて軽量化が図られ、その中心ボス部にはモータ１４のモータ軸を止着する軸穴２１ｃが形成され、モータ１４により回転駆動される。
【００２５】
合流ボックスカバー１３は、合流ボックス本体１２の排気部１７、収容部１６及び貯水部１５の上面開口を閉塞させるためのもので、合流ボックス本体１２の上面開口周縁との間にシール用パッキンが装着されている。
【００２６】
合流ボックス９の室内の空気とドレン水を合流して排出する出口２０には、排気及びドレン水が流れる兼用の共用ダクト２３が接続され、この共用ダクト２３の屋外側の先端部に分配ボックス２４が配置されている。
【００２７】
共用ダクト２３は、建物の屋内と屋外を仕切る仕切壁に貫通された貫通穴２２を貫通するエルボ管から構成され、その貫通穴出口近傍に前記分配ボックス２４が接続されている。
【００２８】
図４は分配ボックスの斜視図、図５は同じく分配ボックスの断面図である。
図において、２４は分配ボックス、２５はボックス入口、２６は排気出口、２７はドレン水出口、２８は排気用ダンパー口、２９は排気ダンパー、３０はドレン水用ダンパー口、３１はドレン水排出用の排水ダンパー、３２はドレン水受け、３３は空気案内板である。
【００２９】
分配ボックス２４は、図４，５に示すように、そのボックス本体がボックス左２４ａとボックス右２４ｂとを組み合わせて箱状に形成され、その上端に兼用ダクト２３と接続されるボックス入口２５が形成され、下端にドレン水出口２７が形成され、また、中間部から側方に分岐して排気出口２６が形成されている。そして、ドレン水出口２７及び排気出口２６のボックス内側には、夫々ダンパー口２８，３０が形成され、個々にダンパー２９，３１が形設され、屋外からの逆圧に対して通路を閉塞するように構成されている。
【００３０】
ボックス左２４ａ、ボックス右２４ｂは、互いに対向する形状で、継ぎ面が突合わせ形状でなく、互いに先端部をＬ形状の重なり合わせて接合する構造にし、シール性を確保している。
【００３１】
ボックス入口２５は、室内機からの共用ダクト２３を接続する形状とし、ボックス内通路には排気用空気が排気出口２６側に流れるように空気案内板３３を形設されている。この案内板３３は、内面がＲ形状に湾曲され、その先端部が排気ダンパー口２８近傍まで達している。
【００３２】
この空気案内板３３の先端部と排気ダンパー口２８との間にはドレン水を案内板３３からドレン水排出ダンパー口３０側に導くための開口３４が形成され、この開口３４の下側にドレン水を排気ダンパー口２８と反対側のドレン水受け３２に導く傾斜案内面３５が形成され、この傾斜案内面３５の下方位置にドレン水受け３２が配置されている。
【００３３】
ドレン水出口２７は、室内機からのドレン水を屋外に放出する出口であり、その下端にドレン用ホース３６が接続されている。この出口の内部にはドレン出口２７から屋外の空気が逆流しても共用ダクト２３側に入らないように、逆流防止用のドレン水用ダンパー３１が形設されている。このドレン水用ダンパー３１は、ドレン水受け３２に溜まったドレン水の圧力で開放するよう上方に回動支点３１ａが形成され、また、ドレン水用ダンパー３１の自重で閉塞するよう、ダンパー口３０の周縁リブの下端部が上端部よりも出口２７側に突出形成されている。
【００３４】
ドレン水用ダンパー口３０には、これに隣接して上流側にドレン水を一時的に貯めるドレン水受け３２が形成されている。ドレン水受け３２は、断面逆三角形に形成され、その底部がドレン水用ダンパー口３０の下端よりも下方に配置され、一定量のドレン水を貯めることができるようになっている。
【００３５】
排気出口２６は、室内機からの空気を屋外に放出する出口である。この排気出口２６の内部には、排気用ダンパー口２８が側方に開口され、このダンパー口２８には排気出口２６から屋外の空気が逆流しても共用ダクト２３に入らないよう、逆流防止用の排気用ダンパー２９が設けられている。排気用ダンパー２９は、空気の流れに対し下流側に回動する動きをするよう、上方に回動支点２９ａを有し、また、排気用ダンパー２９の自重で閉塞するよう、ダンパー口２８の周縁リブの下端部が上端部よりも出口側に突出形成されている。
【００３６】
次に、上記構成の空気調和機の動作を説明する。空気調和機が冷房もしくは除湿運転すると、室内熱交換器３からドレン水がドレンパン７に流れ込み、合流ボックス９の合流ボックス本体１２の入口１９から貯水部１５に流れ込む。貯水部１５に溜まったドレン水は、連通口１６ａから回転体２１の周面搬送部に流れ込み、モータ１４の駆動により回転体２１が回転して、開口部１６ｂの位置に回動されてきたときに、回転体２１の搬送部２１ａから欠穴２１ｂを通って排気部１７に流れ、排気部１７から共用出口２０から共用ダクト２３を通って室外の分配ボックス２４側に排出される。
【００３７】
冷房停止かつ排気運転時においては、換気用排気ファン８によって押し出された室内の空気は、合流ボックス９の入口１８、排気部１７、出口２０を通って分配ボックス２４の排気出口２６から室外に排出される。
【００３８】
冷房運転かつ排気運転時においては、排気は前記排気のみ運転時と同様の流れによって室外に排出される。一方、ドレン水は冷房運転時と同様の流れによって、ボックス本体１２の開口部で排気と合流し、排気とドレン水は屋外の分配ボックス２４側に排出される。
【００３９】
分配ボックス２４においては、室内機の換気用排気ファン８の圧力により、排気ダンパー２９が下流側方向に回動するため、排気ダンパー口２８が開口状態となり、室内機からの排気は共用ダクト２３を通って開口された排気ダンパー口２８、排気出口２６から屋外に放出される。
【００４０】
この際、分配ボックス２４は屋外側の出たところに配置されており、室内空気の換気に際し、排気路１０の合流ボックス９の入口１８から分配ボックス２４の排気出口２６までの経路を短く設定できるので、ドレンホース３６の長さに関係なく、換気効率の良い空気放出が可能となる。
【００４１】
一方、排気と共に共用ダクト２３を通って分配ボックス２４のボックス入口２５に流入したドレン水は、空気案内板３３を伝わって、案内板３３の先端開口３４から下方の傾斜案内面３５を通ってドレン水受け３２に一時的に貯められる。ドレン水受け３２の水位が上昇し、ドレン水用ダンパー口３０より上位まで溜まると、溜まったドレン水の圧力で、ドレン水用ダンパー３１が下流側に回動し、ドレン水がドレン出口２７よりドレンホース３６に流れ、屋外に放出される。
【００４２】
また、ドレン水用ダンパー３１は、室内機の換気用排気ファン８を駆動しているときには、排気の一部がドレン水用ダンパー口３０に流れ、換気用排気ファン８の圧力により下流側方向に回動して排気がドレン出口２７から屋外に放出される。
【００４３】
このとき、分配ボックス２４の排気出口２６やドレン出口２７に屋外からの逆風（圧）が加わると、それぞれのダンパー２９，３１がダンパー口２８，３０を閉塞するので、共用ダクト２３から室内へ逆流することはない。
【００４４】
なお、本発明は、上記実施形態に限定されるものではなく、本発明の範囲内で修正・変更を加えることができるのは勿論である。例えば、上記実施形態では、分配ボックスを屋外出口近傍に配置した例を示したが、これに限るものではなく、屋外の適宜の位置に配置することも可能である。
【００４５】
【発明の効果】
以上の説明から明らかな通り、本発明によると、共用ダクトから屋外側の出たところで排気とドレン水の排水とを分岐させる分配ボックスを設け、ドレン側は排水に適した位置まで伸ばして排水でき、また、排気は屋外に出たところで出口を形成し、ドレンホースの長さに関係なく排気できるので、換気効率の良い空気放出が可能となる。
【図面の簡単な説明】
【図１】本発明の実施形態である空気調和機の室内機において前面パネルを取り外して主要部品を示す分解斜視図
【図２】図１の気液排出装置を背面側からみた斜視図
【図３】図１の合流ボックスのカバーを取り外した状態を示す斜視図
【図４】図２の分配ボックスの斜視図
【図５】同じく分配ボックスの断面図
【符号の説明】
１　　室内機
２　　背面パネル
３　　室内熱交換器
４　　室内ファン
５　　吸込口
６　　吹出口
７　　ドレンパン
８　　換気用排気ファン
９　　合流ボックス
１２　　合流ボックス本体
１３　　合流ボックスカバー
１４　　モータ
１５　　貯水部
１６　　回転体収容部
１７　　排気部
１８　　排気入口
１９　　ドレン水入口
２０　　共用出口
２１　　回転体
２２　　貫通穴
２３　　共用ダクト
２４　　分配ボックス
２５　　ボックス入口
２６　　排気出口
２７　　ドレン水出口
２８　　排気用ダンパー口
２９　　排気ダンパー
３０　　ドレン水用ダンパー口
３１　　排水ダンパー
３２　　ドレン水受け
３３　　案内板
【図１】
2004028468.tif 000003
【図２】
2004028468.tif 000004
【図３】
2004028468.tif 000005
【図４】
2004028468.tif 000006
【図５】
2004028468.tif 000007